(57)【要約】【課題】伝送装置の管理用のＩＰアドレス等の設定及び管理の作業を容易にしてその手間及びコストを低減できる技術を提供する。【解決手段】通信システムにおいて、スイッチ装置は、管理ＩＰ網に接続される第１の管理ポートと、伝送装置とのリンクに接続される第１のポートとを含む。伝送装置は、管理ＩＰ網に接続される第２の管理ポートと、スイッチ装置とのリンクに接続される第２のポートとを含む。スイッチ装置の管理部は、管理端末から受信した指示に基づいて、第２の管理ポートのＩＰアドレスを含む情報の設定変更に関する指示を格納した制御フレームを作成して、第１のポートから送信する。伝送装置の管理部は、スイッチ装置から受信した制御フレームに格納されている指示に基づいて、第２の管理ポートのＩＰアドレスの設定変更を実行する。【選択図】図１
2017069638.tif 000002
【特許請求の範囲】
【請求項１】
スイッチ装置と、伝送装置と、管理端末と、を備える通信システムであって、
前記スイッチ装置は、
管理ＩＰ網に接続され、ＩＰアドレスを含む情報が設定される第１の管理ポートと、
前記伝送装置とのリンクに接続される第１のポートと、
第１の管理部と、
を有し、
前記伝送装置は、
前記管理ＩＰ網に接続され、ＩＰアドレスを含む情報が設定される第２の管理ポートと、
前記スイッチ装置とのリンクに接続される第２のポートと、
第２の管理部と、
を有し、
前記第１の管理部は、前記管理端末からの指示を前記第１の管理ポートを通じて受信し、前記管理端末からの指示に基づいて前記第２の管理ポートのＩＰアドレスの設定変更に関する指示を格納した制御フレームを作成して、前記第１のポートから送信し、
前記第２の管理部は、前記第２のポートを通じて受信した前記制御フレームに格納されている指示に基づいて、前記第２の管理ポートのＩＰアドレスの設定変更を実行する、
通信システム。
【請求項２】
請求項１記載の通信システムにおいて、
前記第１の管理部は、
前記管理端末から前記第１の管理ポートを通じて受信した有効化指示に基づいて、前記第１のポートの制御通信を有効な状態にし、
前記管理端末から前記第１の管理ポートを通じて前記第２の管理ポートのＩＰアドレスの削除に関する指示を受信し、前記削除に関する指示に基づいて、削除指示を格納した制御フレームを作成して、前記第１のポートから送信し、
前記第２の管理部は、
前記管理端末から前記第２の管理ポートを通じて受信した有効化指示に基づいて、前記第２のポートの制御通信を有効な状態にし、
前記第２のポートを通じて受信した前記制御フレームに格納されている前記削除指示に基づいて、前記第２の管理ポートのＩＰアドレスを削除し、
前記ＩＰアドレスを用いた第１の方式の管理状態から、前記ＩＰアドレスを用いない第２の方式の管理状態へ切り替え可能である、
通信システム。
【請求項３】
請求項２記載の通信システムにおいて、
前記第１の管理部は、
前記管理端末から前記第１の管理ポートを通じて前記伝送装置のＯＡＭに関する指示を受信し、前記ＯＡＭに関する指示に基づいて、ＯＡＭ指示を格納した制御フレームを作成して、前記第１のポートから送信し、
前記伝送装置から前記第１のポートを通じて受信した制御フレームに格納されている応答情報に基づいて、前記管理端末への応答情報を格納したパケットを作成して、前記第１の管理ポートから送信し、
前記第２の管理部は、
前記第２のポートを通じて前記制御フレームを受信し、前記制御フレームに格納されている前記ＯＡＭ指示に基づいて、前記伝送装置のＯＡＭに関する処理を行い、前記応答情報を含む前記制御フレームを作成して、前記第２のポートから送信する、
通信システム。
【請求項４】
請求項１記載の通信システムにおいて、
前記第１の管理部は、
前記管理端末から前記第１の管理ポートを通じて前記伝送装置のＩＰアドレスの設定に関する指示を受信し、前記設定に関する指示に基づいて、設定指示を格納した制御フレームを作成して、前記第１のポートから送信し、
前記管理端末から前記第１の管理ポートを通じて受信した無効化指示に基づいて、前記第１のポートの制御通信を無効な状態にし、
前記第２の管理部は、
前記第２のポートを通じて前記制御フレームを受信し、前記制御フレームに格納されている前記設定指示に基づいて、前記第２の管理ポートのＩＰアドレスを設定し、
前記管理端末から前記第２の管理ポートを通じて受信した無効化指示に基づいて、前記第２のポートの制御通信を無効な状態にし、
前記ＩＰアドレスを用いない第２の方式の管理状態から、前記ＩＰアドレスを用いた第１の方式の管理状態へ切り替え可能である、
通信システム。
【請求項５】
請求項１記載の通信システムにおいて、
前記第２の管理ポートに設定されている情報は、ＶＬＡＮアドレスを含み、
前記制御フレームを用いて、前記ＩＰアドレス及び前記ＶＬＡＮアドレスを含む複数の情報の設定変更が制御される、
通信システム。
【請求項６】
請求項１記載の通信システムにおいて、
前記第１の管理部は、
前記管理端末から前記第１の管理ポートを通じて前記第２の管理ポートの起動に関する指示を受信し、前記起動に関する指示に基づいて、起動指示を格納した制御フレームを作成して、前記第１のポートから送信し、
前記管理端末から前記第１の管理ポートを通じて前記第２の管理ポートの停止に関する指示を受信し、前記停止に関する指示に基づいて、停止指示を格納した制御フレームを作成して、前記第１のポートから送信し、
前記第２の管理部は、
前記第２のポートを通じて受信した前記制御フレームに格納されている前記起動指示に基づいて、前記第２の管理ポートを起動してリンクアップ状態にし、
前記第２のポートを通じて受信した前記制御フレームに格納されている前記停止指示に基づいて、前記第２の管理ポートを停止してリンクダウン状態にする、
通信システム。
【請求項７】
スイッチ装置と、伝送装置と、管理端末と、を備える通信システムにおける通信システム管理方法であって、
前記スイッチ装置は、
管理ＩＰ網に接続され、ＩＰアドレスを含む情報が設定される第１の管理ポートと、
前記伝送装置とのリンクに接続される第１のポートと、
第１の管理部と、
を有し、
前記伝送装置は、
前記管理ＩＰ網に接続され、ＩＰアドレスを含む情報が設定される第２の管理ポートと、
前記スイッチ装置とのリンクに接続される第２のポートと、
第２の管理部と、
を有し、
前記通信システム管理方法は、前記通信システムで実行されるステップとして、
前記第１の管理部により、前記管理端末からの指示を前記第１の管理ポートを通じて受信し、前記管理端末からの指示に基づいて前記第２の管理ポートのＩＰアドレスの設定変更に関する指示を格納した制御フレームを作成して、前記第１のポートから送信するステップと、
前記第２の管理部により、前記第２のポートを通じて受信した前記制御フレームに格納されている指示に基づいて、前記第２の管理ポートのＩＰアドレスの設定変更を実行するステップと、
を有する、通信システム管理方法。
【請求項８】
請求項７記載の通信システム管理方法において、
前記第１の管理部により、前記管理端末から前記第１の管理ポートを通じて受信した有効化指示に基づいて、前記第１のポートの制御通信を有効な状態にするステップと、
前記第２の管理部により、前記管理端末から前記第２の管理ポートを通じて受信した有効化指示に基づいて、前記第２のポートの制御通信を有効な状態にするステップと、
前記第１の管理部により、前記管理端末から前記第１の管理ポートを通じて前記第２の管理ポートのＩＰアドレスの削除に関する指示を受信し、前記削除に関する指示に基づいて、削除指示を格納した制御フレームを作成して、前記第１のポートから送信するステップと、
前記第２の管理部により、前記第２のポートを通じて受信した前記制御フレームに格納されている前記削除指示に基づいて、前記第２の管理ポートのＩＰアドレスを削除するステップと、
を有し、
前記ＩＰアドレスを用いた第１の方式の管理状態から、前記ＩＰアドレスを用いない第２の方式の管理状態へ切り替え可能である、
通信システム管理方法。
【請求項９】
請求項７記載の通信システム管理方法において、
前記第１の管理部により、前記管理端末から前記第１の管理ポートを通じて前記伝送装置のＯＡＭに関する指示を受信し、前記ＯＡＭに関する指示に基づいて、ＯＡＭ指示を格納した制御フレームを作成して、前記第１のポートから送信するステップと、
前記第２の管理部により、前記第２のポートを通じて前記制御フレームを受信し、前記制御フレームに格納されている前記ＯＡＭ指示に基づいて、前記伝送装置のＯＡＭに関する処理を行い、応答情報を含む制御フレームを作成して、前記第２のポートから送信するステップと、
前記第１の管理部により、前記第１のポートを通じて受信した前記制御フレームに格納されている前記応答情報に基づいて、前記管理端末への応答情報を格納したパケットを作成して、前記第１の管理ポートから送信するステップと、
を有する、通信システム管理方法。
【請求項１０】
請求項７記載の通信システム管理方法において、
前記第１の管理部により、前記管理端末から前記第１の管理ポートを通じて前記伝送装置のＩＰアドレスの設定に関する指示を受信し、前記設定に関する指示に基づいて、設定指示を格納した制御フレームを作成して、前記第１のポートから送信するステップと、
前記第２の管理部により、前記第２のポートを通じて受信した前記制御フレームに格納されている前記設定指示に基づいて、前記第２の管理ポートのＩＰアドレスを設定するステップと、
前記第１の管理部により、前記管理端末から前記第１の管理ポートを通じて受信した無効化指示に基づいて、前記第１のポートの制御通信を無効な状態にするステップと、
前記第２の管理部により、前記管理端末から前記第２の管理ポートを通じて受信した無効化指示に基づいて、前記第２のポートの制御通信を無効な状態にするステップと、
を有し、
前記ＩＰアドレスを用いない第２の方式の管理状態から、前記ＩＰアドレスを用いた第１の方式の管理状態へ切り替え可能である、
通信システム管理方法。
【発明の詳細な説明】
【技術分野】
【０００１】
本発明は、通信技術に関する。また、本発明は、通信システムの運用管理保守に係わる技術に関する。
【背景技術】
【０００２】
通信システムとして、通信用バックボーンネットワークと利用者網とが接続されてネットワークを構成するシステム等がある。その通信システムとして、通信用バックボーンネットワークに接続されてレイヤ２やレイヤ３の転送を行うスイッチ装置と、利用者網に接続されて波長分割多重（ＷＤＭ：Wavelength Division Multiplexing）を行う伝送装置とが接続されるシステムがある。この伝送装置は、メディアコンバータとも呼ばれ、通信用バックボーンネットワークからの電気信号または光信号を、ＷＤＭにより光信号に変換し、利用者網の光ケーブルに乗せて伝送する。ＷＤＭでは、１本の光ケーブルに、複数の異なる波長の光信号が乗せられる。
【０００３】
また、通信システムの運用管理保守（ＯＡＭ：Operations, Administration, and Maintenance）のための技術として、ＩＰ（Internet Protocol）を用いた方式や、イーサネット（登録商標）を用いたＯＡＭ方式等がある。説明上、前者を「ＩＰ方式」、後者を「イーサネットＯＡＭ方式」と称する。ＩＰ方式の場合、スイッチ装置及び伝送装置のそれぞれに、管理用のＩＰ網を通じて、管理端末が接続される。管理者は、管理端末から、ＩＰ網を通じて、遠隔でスイッチ装置や伝送装置にアクセスし、スイッチ装置や伝送装置の運用管理保守を行う。
【０００４】
通信システム及びその運用管理保守に係わる先行技術例として、特開２０１２−１２００７３号公報（特許文献１）が挙げられる。特許文献１には、ネットワークシステムとして、ＯＡＭの接続性確認（ＣＣ：Continuity Check）機能を用いて、伝送路の障害を、メディアコンバータに接続されたスイッチングハブへ通知する旨が記載されている。
【先行技術文献】
【特許文献】
【０００５】
【特許文献１】特開２０１２−１２００７３号公報
【発明の概要】
【発明が解決しようとする課題】
【０００６】
従来技術の通信システム及びその運用管理保守では、ＩＰ方式の場合、伝送装置の管理のために、伝送装置のポートの１つである管理ポートに、ＩＰアドレスやＶＬＡＮアドレス等の設定が必要である。管理端末は、ＩＰ網を通じて、そのＩＰアドレス等を宛先として、伝送装置にアクセスする。従来技術では、伝送装置の管理ポートのＩＰアドレス等の設定及び管理の作業に、比較的手間及びコストを要する。
【０００７】
また、従来技術では、管理端末からＩＰ網を通じて遠隔で伝送装置の管理ポートのＩＰアドレス等の設定を変更しようとする場合、当該遠隔の通信自体で必要なアドレスを変更しようとしているため、当該設定を適切に制御できない場合がある。即ち、その設定変更作業によって、通信不可能になる可能性や通信障害が発生する可能性がある。
【０００８】
本発明の目的は、通信システム及びその運用管理保守の技術に関して、伝送装置のＩＰアドレス等の設定及び管理の作業を容易にしてその手間及びコストを低減でき、伝送装置のＩＰアドレス等の設定変更を適切に制御して伝送装置を含むシステムの遠隔管理を実現できる技術を提供することである。
【課題を解決するための手段】
【０００９】
本発明のうち代表的な実施の形態は、通信システム、及び通信システム管理方法であって、以下に示す構成を有することを特徴とする。
【００１０】
一実施の形態の通信システムは、スイッチ装置と、伝送装置と、管理端末と、を備える通信システムであって、前記スイッチ装置は、管理ＩＰ網に接続され、ＩＰアドレスを含む情報が設定される第１の管理ポートと、前記伝送装置とのリンクに接続される第１のポートと、第１の管理部と、を有し、前記伝送装置は、前記管理ＩＰ網に接続され、ＩＰアドレスを含む情報が設定される第２の管理ポートと、前記スイッチ装置とのリンクに接続される第２のポートと、第２の管理部と、を有し、前記第１の管理部は、前記管理端末からの指示を前記第１の管理ポートを通じて受信し、前記前記管理端末からの指示に基づいて前記第２の管理ポートのＩＰアドレスの設定変更に関する指示を格納した制御フレームを作成して、前記第１のポートから送信し、前記第２の管理部は、前記第２のポートを通じて受信した前記制御フレームに格納されている指示に基づいて、前記第２の管理ポートのＩＰアドレスの設定変更を実行する。
【００１１】
一実施の形態の通信システム管理方法は、スイッチ装置と、伝送装置と、管理端末と、を備える通信システムにおける通信システム管理方法であって、前記スイッチ装置は、管理ＩＰ網に接続され、ＩＰアドレスを含む情報が設定される第１の管理ポートと、前記伝送装置とのリンクに接続される第１のポートと、第１の管理部と、を有し、前記伝送装置は、前記管理ＩＰ網に接続され、ＩＰアドレスを含む情報が設定される第２の管理ポートと、前記スイッチ装置とのリンクに接続される第２のポートと、第２の管理部と、を有し、前記通信システム管理方法は、前記通信システムで実行されるステップとして、前記第１の管理部により、前記管理端末からの指示を前記第１の管理ポートを通じて受信し、前記管理端末からの指示に基づいて前記第２の管理ポートのＩＰアドレスの設定変更に関する指示を格納した制御フレームを作成して、前記第１のポートから送信するステップと、前記第２の管理部により、前記第２のポートを通じて受信した前記制御フレームに格納されている指示に基づいて、前記第２の管理ポートのＩＰアドレスの設定変更を実行するステップと、を有する。
【発明の効果】
【００１２】
本発明のうち代表的な実施の形態によれば、通信システム及びその運用管理保守の技術に関して、伝送装置のＩＰアドレス等の設定及び管理の作業を容易にしてその手間及びコストを低減でき、伝送装置のＩＰアドレス等の設定変更を適切に制御して伝送装置を含むシステムの遠隔管理を実現できる。
【図面の簡単な説明】
【００１３】
【図１】本発明の実施の形態の通信システムの構成を示す図である。
【図２】実施の形態における、制御フレームの構成を示す図である。
【図３】実施の形態における、ＩＰ方式の管理状態を示す図である。
【図４】実施の形態における、Ｇ９８６に基づいた接続状態を示す図である。
【図５】実施の形態における、Ｇ９８６に基づいたＯＡＭ方式の管理状態への切り替えを示す図である。
【図６】実施の形態における、Ｇ９８６に基づいたＯＡＭ方式の管理状態を示す図である。
【図７】実施の形態における、ＩＰ方式の管理状態への切り替えを示す図である。
【発明を実施するための形態】
【００１４】
以下、本発明の実施の形態を図面に基づいて詳細に説明する。なお、実施の形態を説明するための全図において同一部には原則として同一符号を付し、その繰り返しの説明は省略する。
【００１５】
（実施の形態）
図１〜図７を用いて、本発明の実施の形態の通信システム及びその管理方法について説明する。実施の形態の通信システム管理方法は、実施の形態の通信システムで実行されるステップを含む方法である。
【００１６】
［通信システム］
図１は、実施の形態の通信システムの構成を示す。実施の形態の通信システムは、スイッチ装置１、伝送装置２、管理端末３を有する。スイッチ装置１及び伝送装置２は、管理用のＩＰ網４を通じて、管理端末３と接続されている。
【００１７】
スイッチ装置１は、通信用バックボーンネットワーク１０１及び伝送装置２に接続され、レイヤ２及びレイヤ３の転送を行う装置である。スイッチ装置１は、制御部１１、記憶部１２、通信部１３を有する。制御部１１は、スイッチ装置１を制御し、ＣＰＵ、ＲＯＭ、ＲＡＭ等により構成される。記憶部１２は、一次記憶装置や二次記憶装置で構成され、制御部１１等が使用するプログラムや各種のデータが格納される。
【００１８】
制御部１１は、管理部１００を含む。管理部１００は、通信システムのＯＡＭに係わる処理を行う。管理部１００は、例えばソフトウェアプログラム処理で実現される。なお、管理部１００は、ＦＰＧＡ（Field-Programmable Gate Array）等のハードウェア回路で実現されてもよい。スイッチ装置１の管理部１００は、Ｇ９８６に基づいた制御通信で、伝送装置２の管理部２００と連係する。管理部１００は、管理端末３からの指示に応じて、ＯＡＭに係わる処理を行う。
【００１９】
通信部１３は、通信用バックボーンネットワーク１０１、伝送装置２、及び管理端末３との通信を行う。通信部１３は、通信ポートである複数のポートを有し、複数のポートとして、ポート５１，５２，５３を有する。通信部１３は、ＦＰＧＡ、または、ラインカードやスイッチＬＳＩ等により構成される。
【００２０】
伝送装置２は、制御部２１、記憶部２２、通信部２３を有する。制御部２１は、伝送装置２を制御し、ＣＰＵ等により構成される。記憶部２２は、一次記憶装置や二次記憶装置で構成され、制御部２２等が使用するプログラムや各種のデータが格納される。
【００２１】
制御部２１は、管理部２００を含む。管理部２００は、通信システムのＯＡＭに係わる処理を行う。この処理は、特に、伝送装置２の設定を制御する処理を含む。管理部２００は、例えばソフトウェアプログラム処理で実現される。なお、管理部２００は、ＦＰＧＡ等のハードウェア回路で実現されてもよい。管理部２００は、管理端末３からの指示に応じて、ＯＡＭに係わる処理を行う。
【００２２】
通信部２３は、利用者網１０２、スイッチ装置１、及び管理端末３との通信を行う。通信部２３は、通信ポートである複数のポートを有し、複数のポートとして、ポート６１，６２，６３を有する。通信部２３は、例えば、ラインカード、ＷＤＭモジュール、光アンプモジュール等により構成される。
【００２３】
ラインカードは、イーサネット等の通信インタフェースに対応したモジュールであり、必要に応じて筐体への挿抜により増減が可能となっている。ＷＤＭモジュールは、所定の光通信インタフェースにおけるＷＤＭに対応した変換処理を行うモジュールである。ＷＤＭモジュールは、スイッチ装置１からの光信号を、合波により、利用者網１０２への光信号に変換し、また、利用者網１０２からの光信号を、分波により、スイッチ装置１への光信号に変換する。光アンプモジュールは、長距離通信に対応して、利用者網１０２で伝送する光信号を増幅するモジュールである。
【００２４】
スイッチ装置１は、所定の通信インタフェースのポート５１で、通信用バックボーンネットワーク１０１と接続されている。この所定の通信インタフェースは、例えばイーサネット（登録商標）であり、電気信号または光信号を伝送するケーブルを含み、伝送レートが例えば１Ｇｂｐｓである。
【００２５】
伝送装置２は、所定の光通信インタフェースのポート６１で、利用者網１０２と接続されている。この所定の通信インタフェースは、例えばイーサネット（登録商標）であり、光信号を伝送するケーブルを含み、伝送レートが例えば１０Ｇｂｐｓ〜１００Ｇｂｐｓである。
【００２６】
スイッチ装置１と伝送装置２は、通常のデータ通信用に、所定の通信インタフェースで接続されている。即ち、スイッチ装置１の所定の通信インタフェースの第１のポートであるポート５２と、伝送装置２の所定の通信インタフェースの第２のポートであるポート６２とが接続されている。この所定の通信インタフェースは、例えばイーサネット（登録商標）であり、光信号を伝送するケーブルを含み、伝送レートが例えば１Ｇｂｐｓである。
【００２７】
スイッチ装置１及び伝送装置２は、ＩＰ方式の管理状態では、それぞれ、管理ポートで、ＩＰ網４を通じて管理端末３に接続されている。スイッチ装置１の第１の管理ポートであるポート５３は、管理用のＩＰアドレスやＶＬＡＮアドレスが設定されている。伝送装置２の第２の管理ポートであるポート６３は、管理用のＩＰアドレスやＶＬＡＮアドレスが設定されている。
【００２８】
また、スイッチ装置１と伝送装置２は、後述の制御通信用に、所定の通信インタフェースで接続される。実施の形態では、スイッチ装置１の第１のポートであるポート５２と、伝送装置２の第２のポートであるポート６２とが接続されるリンクを用いて、この制御通信が行われる。即ち、ポート５２及びポート６２は、通常のデータ通信と制御通信とで共用される。この所定の通信インタフェースは、例えば、Ｇ９８６に基づいたイーサネットＯＡＭである。
【００２９】
管理端末３は、一般的なＰＣ等で構成される。ＯＡＭ作業を行う管理者は、管理端末３を操作する。管理端末３は、一般的なユーザインタフェースとしてコマンドラインインタフェースを有する。管理端末３は、入力装置や表示装置を備える。管理者は、管理端末３の表示装置のコマンドライン画面で、指示等のコマンドを入力し、また、コマンドライン画面に出力されるコマンド処理結果情報等の情報を見る。管理端末３は、ＴＣＰ／ＩＰプロトコル、及びtelnet等のプロトコルで、ＩＰ網４を通じて、スイッチ装置１または伝送装置２に接続する。
【００３０】
［ＯＡＭ方式］
前述の課題に関して、従来の通信システムにおける伝送装置の管理用のＩＰアドレス等を用いたＩＰ方式に対して、実施の形態では、伝送装置２のＩＰアドレス等を用いないＯＡＭ方式を導入する。このＯＡＭ方式として、スイッチ装置１と伝送装置２との間で制御通信を可能とする方式として、イーサネットＯＡＭ方式を適用する。イーサネットＯＡＭ方式として、Ｇ９８６で規定される方式が挙げられる。イーサネットＯＡＭは、イーサネット（登録商標）の拡張仕様の１つであり、ＩＥＥＥ８０２．１ａｇ等で標準化されている。Ｇ９８６は、ＪＴ−Ｇ９８６等で規定されている、１Ｇｂｐｓポイント・ツー・ポイントイーサネット規定光アクセスシステムの標準規格である。Ｇ９８６は、ＯＡＭに係わる制御通信を可能とするプロトコルやフレームフォーマット等の規定を含んでいる。
【００３１】
実施の形態では、第１の方式であるＩＰ方式による管理状態から、第２の方式であるＧ９８６を用いたイーサネットＯＡＭ方式による管理状態へ切り替えるように、伝送装置２のＩＰアドレス等の設定を変更する機能を有する。また、実施の形態では、第２の方式の管理状態から、第１の方式の管理状態へ切り替えるように、伝送装置２のＩＰアドレス等の設定を変更する機能を有する。
【００３２】
前者のＩＰ方式による管理状態では、管理用のＩＰアドレス等を用いて、管理端末３からＩＰ網４を通じて伝送装置２にアクセスして伝送装置２の状態を管理する。一方、後者のイーサネットＯＡＭ方式では、管理端末３からスイッチ装置１を経由して遠隔で伝送装置２の状態を管理する。即ち、管理者は、管理端末３からＩＰ網４を通じてスイッチ装置１にアクセスし、スイッチ装置１からＧ９８６に基づいた制御通信で伝送装置２にアクセスし、伝送装置２の設定等を制御する。イーサネットＯＡＭ方式の管理状態へ切り替える際、設定変更として、具体的には、伝送装置２の管理ポートのＩＰアドレス及びＶＬＡＮアドレス等の設定情報が削除される。これにより、伝送装置２の管理ポートにＩＰアドレス等を設定してそれを維持管理する作業を基本的に不要にすることができる。
【００３３】
しかし、従来の通信システムにおけるＩＰ方式の管理状態に対し、Ｇ９８６のようなＩＰを用いないイーサネットＯＡＭ方式を導入するにあたり、以下のような課題がある。従来、単にＧ９８６のＯＡＭ方式をそのまま導入しただけでは、伝送装置の管理用のＩＰアドレス等の設定変更を適切に実現することができず、伝送装置の遠隔管理が実現できない。
【００３４】
伝送装置の設定は、管理ポートのＩＰアドレスやＶＬＡＮアドレス等の複数の設定を含む。この設定を変更する場合、複数の設定情報をまとめて正しく変更する必要がある。例えば、変更前の値を、ＩＰアドレス＝Ａ１、ＶＬＡＮアドレス＝Ｖ１とし、変更後の値を、ＩＰアドレス＝Ａ２、ＶＬＡＮアドレス＝Ｖ２とする。設定変更として、削除の場合には、Ａ１値やＶ１値は削除され、Ａ２値やＶ２値は存在しない。
【００３５】
この前提状態から、伝送装置の管理用のＩＰアドレス等の設定を変更する方法として、以下が挙げられる。設定変更として、例えばＩＰアドレス等の設定情報を削除する場合とする。
【００３６】
第１の方法として、管理端末からＩＰ網を通じて伝送装置にアクセスし、ＩＰアドレス等の設定を変更する。この場合、管理端末から、伝送装置の管理ポートのＩＰアドレス等を宛先として当該伝送装置にアクセスし、当該管理ポートのＩＰアドレス等の設定情報を変更する。
【００３７】
しかし、第１の方法の場合、管理端末と伝送装置との通信自体に必要なＩＰアドレスやＶＬＡＮアドレスを変更しようとするものである。そのため、当該ＩＰアドレスやＶＬＡＮアドレスの変更により、当該通信自体が通信不可能な状態になってしまい、当該設定変更作業を完遂できない場合がある。あるいは、当該設定変更の結果、通信障害が生じる可能性がある。したがって、実施の形態では、第１の方法を採用しない。実施の形態では、以下の第２の方法を採用する。
【００３８】
第２の方法として、従来の通信システムにＧ９８６のような方式を導入して、スイッチ装置１と伝送装置２を接続し、スイッチ装置１と伝送装置２との間でＯＡＭに係わる制御通信を可能とする。スイッチ装置１と伝送装置２とが、Ｇ９８６に従う通信インタフェース及びプロトコルで制御通信が可能なように接続される。スイッチ装置１のポート５２と伝送装置２のポート６２との間がケーブルで接続され、当該ポート間では、所定の制御フレームが授受される。
【００３９】
そして、管理端末３から、スイッチ装置１を経由して、Ｇ９８６に基づいた制御通信で伝送装置２にアクセスして、伝送装置２の設定を変更し、状態を管理する。ＩＰ方式の管理状態から、Ｇ９８６に基づいたイーサネットＯＡＭ方式の管理状態へ切り替える際、管理端末３からスイッチ装置１にアクセスし、所定の指示を送信する。スイッチ装置１は、管理端末３からの指示に応じて、Ｇ９８６に基づいた制御通信で伝送装置２にアクセスし、所定の指示を格納した制御フレームを送信する。伝送装置２は、スイッチ装置１からの制御フレームに格納されている指示に応じて、伝送装置２の管理ポートであるポート６３のＩＰアドレス等の設定情報を削除する。これにより、当該管理ポートを通じた管理用の通信が無効になるので、Ｇ９８６に基づいたイーサネットＯＡＭ方式の管理状態へ切り替えられる。
【００４０】
［Ｇ９８６の拡張機能］
実施の形態における管理端末３は、Ｇ９８６に基づいた拡張機能を用いて、スイッチ装置１経由で伝送装置２の設定変更を制御する。実施の形態のスイッチ装置１及び伝送装置２は、Ｇ９８６に基づいた拡張機能の実装を有する。スイッチ装置１と伝送装置２は、Ｇ９８６で規定されているイーサネットフレームのフォーマットに基づいて構成される、下記の特有の制御フレームを用いて、特有の制御通信を行う。スイッチ装置１及び伝送装置２は、Ｇ９８６に基づいて一部拡張された実装として、その制御フレーム、及びそれを作成及び解釈するプログラム等の実装を含む。
【００４１】
また、実施の形態の通信システムでは、独自の実装として、ＩＰ方式の管理状態と、Ｇ９８６に基づいたイーサネットＯＡＭ方式の管理状態との切り替えを制御する機能の実装を含む。
【００４２】
［制御フレーム］
図２の（Ａ）は、Ｇ９８６に基づいた制御フレームのフォーマット構成を示す。このフレームは、フィールドとして、順に、宛先ＭＡＣアドレス、送信元ＭＡＣアドレス、拡張イーサタイプ、プロトコル識別子、メッセージ、等を有する。更に、「メッセージ」フィールドは、フィールドとして、メッセージタイプ２０１、メッセージ識別子２０２、メッセージコンテンツ２０３、等を含む。「メッセージタイプ」フィールドには、Ｇ９８６に基づいたＯＡＭに係わる特定のタイプが記述される。「メッセージ識別子」フィールドには、当該メッセージを一意に識別する識別子が記述される。「メッセージコンテンツ」フィールドには、ＯＡＭに係わる指示内容等が記述される。
【００４３】
図２の（Ｂ）は、実施の形態で特有の制御フレームの第１の例を示す。「メッセージ」フィールドにおいて、「メッセージタイプ」フィールドには、特定のタイプ、例えば“debug”が記述される。「メッセージコンテンツ」フィールドには、例えば、管理ＩＰアドレス削除指示が、所定の形式の文字列で記述される。所定の形式の文字列の一例は、“delete ip <port#> …”等であり、<port#>で指定したポート番号の管理ポートに関する既存のＩＰアドレスの設定情報を削除する指示を示す。なお、ＶＬＡＮアドレスや経路情報に関しても同様に記述可能である。
【００４４】
図２の（Ｄ）は、実施の形態で特有の制御フレームの第２の例を示す。「メッセージコンテンツ」フィールドには、例えば、管理ＩＰアドレス設定指示が、所定の形式の文字列で記述される。所定の形式の文字列の一例は、“configure ip <ip address> <port#> …”等であり、<port#>で指定したポート番号の管理ポートに、<ip address>で指定したＩＰアドレスを設定する指示を示す。なお、ＶＬＡＮアドレスや経路情報に関しても同様に記述可能である。
【００４５】
［管理状態の遷移］
以下、図３〜図７を用いて、実施の形態の通信システム及び管理方法における管理状態の遷移を示す。本遷移では、Ｇ９８６導入以前のＩＰを用いたＩＰ方式の管理状態から、Ｇ９８６導入によるイーサネットＯＡＭ方式の制御通信を用いた管理状態への切り替えを含む。更に、本遷移では、その後、Ｇ９８６導入後のイーサネットＯＡＭ方式の管理状態から、ＩＰ方式の管理状態へ戻すように切り替える場合の遷移を含む。
【００４６】
［（１）ＩＰ方式の管理状態］
図３は、実施の形態において、第１の状態として、管理用のＩＰアドレス等を用いたＩＰ方式の管理状態を示す。図３の第１の状態は、Ｇ９８６に基づいたイーサネットＯＡＭ方式の導入前の状態である。図３の基本的な構成は、図１の構成と同様であるが、Ｇ９８６に基づいたイーサネットＯＡＭ方式の接続はまだされておらず、ポート５２及びポート６２は、Ｇ９８６に基づいた制御通信が可能な状態には設定されていない。ポート５２とポート６２は、イーサネットの通信インタフェースに対応したケーブルで接続されており、通常のデータ通信が可能な状態に設定されている。
【００４７】
なお、図３で、各ポートの識別情報を以下とする。ポートの識別情報は、ポート番号等に相当する。スイッチ装置１のポート５１，５２，５３の識別情報を、それぞれ、Ｐ１，Ｐ２，Ｐ３とする。伝送装置２のポート６１，６２，６３の識別情報を、それぞれ、Ｐ５，Ｐ６，Ｐ７とする。スイッチ装置１や伝送装置２は、自身が持つポートの識別情報等を把握している。
【００４８】
図３の第１の状態では、伝送装置２の管理ポートであるポート６３には、管理用のＩＰアドレス及びＶＬＡＮアドレスが設定済みである。このＩＰアドレスをＡ１とし、ＶＬＡＮアドレスをＶ１とする。管理端末３は、その管理用のＩＰアドレス等を用いて、伝送装置２と管理用の通信を行い、これにより伝送装置２の状態を管理している。
【００４９】
同様に、スイッチ装置１の管理ポートであるポート５３には、管理用のＩＰアドレス及びＶＬＡＮアドレスが設定済みである。このＩＰアドレスをａ１とし、ＶＬＡＮアドレスをｖ１とする。管理端末３は、その管理用のＩＰアドレス等を用いて、スイッチ装置１と管理用の通信を行い、これによりスイッチ装置１の状態を管理している。
【００５０】
［（２）Ｇ９８６に基づいた接続状態］
図４は、第２の状態として、スイッチ装置１と伝送装置２とがＧ９８６に基づいたイーサネットＯＡＭ方式で接続された状態を示す。新たに、スイッチ装置１のポート５２が、Ｇ９８６に基づいた制御通信が可能な状態に設定されている。また、伝送装置２のポート６２が、Ｇ９８６に基づいた制御通信が可能な状態に設定されている。
【００５１】
図４で、第２の状態にするための作業及び処理のステップとして、S201〜S205を有し、以下、ステップの順に説明する。なお、作業は、管理者の指示に基づいて、現場の作業者により行われるものとする。
【００５２】
（S201）  Ｇ９８６の導入にあたり、作業者により、まず、ケーブル等の物理的な接続がされ、対応するポートが設定される。作業者により、ポート５２とポート６２との間がケーブルで接続されていない場合には接続される。本例では、図３の状態でポート５２とポート６２との間が接続済みであるため、このケーブル接続作業は不要である。
【００５３】
（S202）  管理者は、管理端末３から、スイッチ装置１のＧ９８６に基づいた制御通信を有効化するための指示を、ＩＰ網４を通じて、スイッチ装置１へ送信する。この指示を、「Ｇ９８６有効化指示」とする。この有効化は、Ｇ９８６に基づいた制御通信を行う機能をオフ状態からオン状態に切り替えるイネーブルに相当する。この指示の宛先は、ポート５３のＩＰアドレス等である。
【００５４】
（S203）  スイッチ装置１は、管理端末３からのS202の指示をポート５３で受信し、管理部１００へ転送する。管理部１００は、その指示に従い、Ｇ９８６に対応した識別情報がＰ２のポート５２における制御通信を有効化する。通信部１３では、ポート５２に関する制御通信の有効または無効の状態が管理されており、この有効化によってポート５２は制御通信が有効の状態になる。
【００５５】
（S204）  同様に、管理者は、管理端末３から、スイッチ装置１のＧ９８６に基づいた制御通信を有効化するための指示である「Ｇ９８６有効化指示」を、伝送装置２へ送信する。この指示の宛先は、ポート６３のＩＰアドレス等である。
【００５６】
（S205）  伝送装置２は、S204の管理端末３からの指示をポート６３で受信し、管理部２００へ転送する。管理部２００は、その指示に従い、Ｇ９８６に対応した識別情報がＰ６のポート６２における制御通信を有効化する。通信部１３では、ポート６２に関する制御通信の有効または無効の状態が管理されており、この有効化によってポート６２は制御通信が有効の状態になる。
【００５７】
図示しないが、スイッチ装置１の管理部１００は、管理端末３からの指示に対する応答として、有効化が正常にされたことを示す応答を、ポート５３から管理端末３へ送信する。同様に、伝送装置２の管理部２００は、管理端末３からの指示に対する応答として、有効化が正常にされたことを示す応答を、ポート６３から管理端末３へ送信する。
【００５８】
上記スイッチ装置１及び伝送装置２の両方でＧ９８６の制御通信が有効化されることにより、以下のように、スイッチ装置１から伝送装置２の設定が制御可能となる。
【００５９】
［（３）Ｇ９８６を用いた管理状態への切り替え］
図５は、第３の状態として、伝送装置２の管理用のＩＰアドレス等を削除する設定変更により、図３の管理用のＩＰアドレスを用いたＩＰ方式の管理状態から、Ｇ９８６に基づいたイーサネットＯＡＭ方式の管理状態へ切り替える際の状態を示す。
【００６０】
図５で、第３の状態における作業及び処理のステップとして、S301〜S304を有し、以下、ステップの順に説明する。
【００６１】
（S301）  管理者は、図４の状態になった後、管理端末３から、ＩＰ方式の管理状態からＧ９８６に基づいたイーサネットＯＡＭ方式の管理状態へ切り替えるための指示を、スイッチ装置１へ送信する。この指示は、伝送装置２の管理用のＩＰアドレス等の設定情報を削除する指示である。この指示を、「管理ＩＰアドレス削除指示」とする。この指示の宛先は、ポート５３のＩＰアドレス等である。
【００６２】
（S302）  スイッチ装置１は、管理端末３からのS301の指示をポート５３で受信し、管理部１００へ転送する。管理部１００は、その指示に従い、管理ＩＰアドレス削除指示を格納した特有の制御フレームを作成し、通信部１３のポート５２へ転送する。管理部１００は、図２の（Ｂ）のように、制御フレームの「メッセージコンテンツ」フィールドに、管理ＩＰアドレス削除指示を格納する。
【００６３】
伝送装置２の管理ポートに、ＩＰアドレスだけでなく、ＶＬＡＮアドレス等が設定されている場合には、制御フレームの中に、ＩＰアドレス削除指示と共に、ＶＬＡＮアドレス削除指示を格納してもよい。また、変形例として、管理部１００は、ＩＰアドレス削除指示を格納した制御フレームやＶＬＡＮアドレス削除指示を格納した制御フレームを作成し、それらの複数の制御フレームを用いて制御してもよい。
【００６４】
（S303）  通信部１３は、ポート５２から、S302の制御フレームを送信する。伝送装置２の通信部２３は、スイッチ装置１からのS302の制御フレームをポート６２で受信し、管理部２００へ転送する。
【００６５】
（S304）  管理部２００は、S303の制御フレームに格納されている指示を参照する。管理部２００は、図２の（Ｂ）のような制御フレームの「メッセージコンテンツ」フィールドから、管理ＩＰアドレス削除指示を取り出す。管理部２００は、その管理ＩＰアドレス削除指示に従い、ポート６３に設定されている管理用のＩＰアドレスの設定情報を削除する。同様に、管理部２００は、受け取った制御フレームの中に、ＶＬＡＮアドレス削除指示が格納されている場合には、そのＶＬＡＮアドレス削除指示に従い、ポート６３に設定されている管理用のＶＬＡＮアドレスの設定情報を削除する。これにより、ポート６３の設定が変更される。
【００６６】
その後、図示しないが、伝送装置２から、スイッチ装置１へ、S303の制御フレームに対応する応答として、管理ＩＰアドレス削除が正しく行われたかどうかを示す応答が返される。そして、スイッチ装置１から、管理端末３へ、S301の指示に対する応答として、管理ＩＰアドレス削除が正しく行われたかどうかを示す応答が返される。管理ＩＰアドレス削除等が正しく行われた場合は、即ち、ＩＰ方式の管理状態から、Ｇ９８６に基づいたイーサネットＯＡＭ方式の管理状態へ切り替えられたことを示す。
【００６７】
［（４）Ｇ９８６を用いた管理状態］
図６は、第４の状態として、Ｇ９８６に基づいたイーサネットＯＡＭ方式の管理状態を示す。この状態では、管理端末３から、スイッチ装置１の状態が管理されると共に、スイッチ装置１経由で伝送装置２の状態が管理される。
【００６８】
図６で、第４の状態における作業及び処理のステップとして、S401〜S406を有し、以下、ステップの順に説明する。
【００６９】
（S401）  管理者は、ＯＡＭの内容として、例えば伝送装置２の状態を確認及び検出したい場合、以下のように、管理端末３から、ＩＰ網４を通じて、スイッチ装置１へ、ＯＡＭに係わる指示を送信する。この指示を「状態検出指示」とする。この指示の宛先は、ポート５３のＩＰアドレス等である。
【００７０】
（S402）  スイッチ装置１は、管理端末３からのS401の指示をポート５３で受信し、管理部１００へ転送する。管理部１００は、その指示の内容を参照し、その指示の内容が、伝送装置２のＯＡＭに係わるものである場合、伝送装置２に送信するための制御フレームを作成する。本例では、管理部１００は、その指示の内容が、伝送装置２のＯＡＭに係わる状態検出指示であるため、その状態検出指示を格納した特有の制御フレームを作成し、通信部１３のポート５２へ転送する。管理部１００は、図２の（Ｃ）のように、制御フレームの「メッセージコンテンツ」フィールドに、伝送装置２に関する状態検出指示を格納する。状態検出指示の内容の詳細は、各種が挙げられるが、一例として、伝送装置２内のポートの状態を検出する指示とする。
【００７１】
（S403）  通信部１３は、ポート５２から、S402の制御フレームを送信する。伝送装置２の通信部２３は、その制御フレームをポート６２で受信し、管理部２００へ転送する。
【００７２】
（S404）  管理部２００は、その制御フレームに格納されている状態検出指示に従い、伝送装置２内のポート等の状態を検出する処理を行う。そして、管理部２００は、その検出された状態を含む、スイッチ装置１への応答情報を格納した制御フレームを作成し、通信部２３のポート６２へ転送する。
【００７３】
（S405）  通信部２３は、ポート６２から、S404の制御フレームを送信する。スイッチ装置１の通信部１３は、その制御フレームをポート５２で受信し、管理部１００へ転送する。
【００７４】
（S406）  管理部１００は、S405の制御フレームに格納されている応答情報を取得し、その応答情報から、管理端末３への応答情報を作成し、その応答情報を格納したＩＰのパケットを、通信部１３のポート５３から管理端末３へ送信する。管理端末３は、ＩＰ網４を通じて、スイッチ装置１から、そのパケットを受信し、そのパケットに格納されている応答情報を取得する。管理端末３は、その応答情報を、コマンドライン画面に出力する。これにより、管理者は、伝送装置２のポート等の状態を確認及び検出することができる。
【００７５】
［（５）ＩＰを用いた管理状態への切り替え］
図７は、第５の状態として、伝送装置２に管理用のＩＰアドレス等を再度設定する設定変更により、図６のＧ９８６に基づいたイーサネットＯＡＭ方式の管理状態から、管理用のＩＰアドレスを用いたＩＰ方式の管理状態へ切り替える際の状態を示す。
【００７６】
図７で、第５の状態における作業及び処理のステップとして、S501〜S509を有し、以下、ステップの順に説明する。管理者は、何らかの理由、例えばＧ９８６に基づいた運用で何か問題が生じた等の理由で、ＩＰ方式の管理状態へ戻したい場合には、この切り替えを実行する。
【００７７】
（S501）  管理者は、管理端末３から、ＩＰ方式に戻すように切り替えるための指示として、伝送装置２に管理用のＩＰアドレス等を再度設定するための指示を、スイッチ装置１へ送信する。この指示を、「管理ＩＰアドレス設定指示」とする。この指示の宛先は、ポート５３のＩＰアドレス等である。
【００７８】
（S502）  スイッチ装置１は、管理端末３からのS501の指示をポート５３で受信し、管理部１００へ転送する。管理部１００は、その指示に従い、管理ＩＰアドレス設定指示を格納した制御フレームを作成し、通信部１３のポート５２へ転送する。
【００７９】
伝送装置２の管理ポートに、ＩＰアドレスだけでなく、ＶＬＡＮアドレス等を設定する場合には、制御フレームの中に、ＩＰアドレス設定指示と共に、ＶＬＡＮアドレス設定指示を格納してもよい。また、変形例として、管理部１００は、ＩＰアドレス設定指示を格納した制御フレームやＶＬＡＮアドレス設定指示を格納した制御フレームを作成し、それらの複数の制御フレームを用いて制御してもよい。
【００８０】
（S503）  通信部１３は、ポート５２からS502の制御フレームを送信する。伝送装置２の通信部２３は、その制御フレームをポート６２で受信し、管理部２００へ転送する。
【００８１】
（S504）  管理部２００は、S503の制御フレームに格納されている管理ＩＰアドレス設定指示に従い、管理用のポート６３に、ＩＰアドレスの設定情報を再度設定する。同様に、管理部２００は、S503の制御フレームにＶＬＡＮアドレス設定指示が格納されている場合には、管理用のポート６３に、ＶＬＡＮアドレスの設定情報を再度設定する。これにより、ポート６３の設定が変更される。再度設定されたＩＰアドレスをＡ１、ＶＬＡＮアドレスをＶ１とする。
【００８２】
その後、図示しないが、伝送装置２から、スイッチ装置１へ、S503の制御フレームに対応する応答として、管理ＩＰアドレス設定が正しく行われたかどうかを示す応答が返される。そして、スイッチ装置１から、管理端末３へ、S501の指示に対する応答として、管理ＩＰアドレス設定が正しく行われたかどうかを示す応答が返される。
【００８３】
（S505）  管理端末３は、上記S504までで管理用のＩＰアドレスを正しく再設定した後、更に、S505では、Ｇ９８６に基づいた制御通信による管理状態を無効化するための指示を、スイッチ装置１へ送信する。この指示を、「Ｇ９８６無効化指示」とする。この無効化は、機能をオフ状態にするディセーブルに相当する。この指示の宛先は、ポート５３のＩＰアドレス等である。
【００８４】
（S506）  スイッチ装置１は、S505の指示をポート５３で受信し、管理部１００へ転送する。管理部１００は、その指示に従い、スイッチ装置１でのＧ９８６に基づいた制御通信による管理状態を無効化するように、通信部１３のポート５２の状態を制御する。この無効化に従い、通信部１３は、ポート５２を有効から無効の状態に切り替える。これにより、ポート５２を用いたＯＡＭに係わる制御通信ができない状態になる。
【００８５】
（S507）  同様に、管理端末３は、S507では、Ｇ９８６に基づいた制御通信による管理状態を無効化するための指示である「Ｇ９８６無効化指示」を、伝送装置２へ送信する。この指示の宛先は、ポート６３のＩＰアドレス等である。
【００８６】
（S508）  伝送装置２は、S507の指示をポート６３で受信し、管理部２００へ転送する。管理部２００は、その指示に従い、伝送装置２でのＧ９８６に基づいた制御通信による管理状態を無効化するように、通信部２３のポート６２の状態を制御する。この無効化に従い、通信部２３は、ポート６２を有効から無効の状態に切り替える。これにより、ポート６２を用いたＯＡＭに係わる制御通信ができない状態になる。
【００８７】
図示しないが、上記Ｇ９８６無効化指示についても、同様に、無効化が正しく行われたかどうかを示す応答が管理端末３へ返される。上記の無効化は、言い換えれば、ＩＰを用いたＩＰ方式の管理状態の有効化に相当する。管理端末３は、管理ＩＰアドレス設定等が正しく行われたことを示す応答を受けた後、スイッチ装置１及び伝送装置２のそれぞれから無効化が正しくされたことを示す応答を受ける。その場合、管理端末３は、イーサネットＯＡＭ方式の管理状態から、ＩＰ方式の管理状態へ切り替えられたことを認識する。
【００８８】
（S509）  その後、前述の図３の第１の状態と同様に、ＩＰ方式の管理状態において、管理者は、管理端末３から、伝送装置２との間で、ＩＰ網４を通じて、ＯＡＭに係わる通信を行うことができる。
【００８９】
また、その後、再度、Ｇ９８６を用いたイーサネットＯＡＭ方式の管理状態へ切り替えたい場合には、図５と同様に実現可能である。以上のように、実施の形態の通信システム及び管理方法では、管理者は、所望の契機で、ＯＡＭ方式の管理状態を切り替えることができる。
【００９０】
［他の制御例］
実施の形態では、上述のように、Ｇ９８６に基づいた制御通信を用いて、伝送装置２の管理ポートのＩＰアドレス等の設定変更を制御する機能を有する。この制御機能については、ＩＰアドレス等の設定変更以外にも、他の制御例として、以下が可能である。他の制御例として、管理端末３は、スイッチ装置１を通じて、伝送装置２の管理ポートの停止や起動、言い換えると、管理ポートのリンクのリンクダウンやリンクアップを制御する。
【００９１】
例えば、伝送装置２に管理ポートが設定済みの状態において、管理端末３から、スイッチ装置１に、管理ポートを停止させる指示を送信する。スイッチ装置１は、その指示に従い、停止指示を格納した制御フレームを伝送装置２に送信する。伝送装置２は、その制御フレームの停止指示に従い、管理ポートの停止を行う。これにより、その管理ポートとＩＰ網４とのリンクにおけるリンクダウンが行われ、即ち、その管理ポートを用いた管理用の通信ができない状態になる。
【００９２】
同様に、起動の場合、伝送装置２の管理ポートが停止している状態において、管理端末３から、スイッチ装置１に、管理ポートを起動させる指示を送信する。スイッチ装置１は、その指示に従い、起動指示を格納した制御フレームを伝送装置２に送信する。伝送装置２は、その制御フレームの起動指示に従い、管理ポートの起動を行う。これにより、その管理ポートとＩＰ網４とのリンクにおけるリンクアップが行われ、即ち、その管理ポートを用いた管理用の通信ができる状態になる。
【００９３】
［効果等］
以上説明したように、実施の形態の通信システム及び管理方法によれば、伝送装置２のＩＰアドレス等の設定及び管理の作業を容易にしてその手間及びコストを低減できる。また、実施の形態によれば、伝送装置２のＩＰアドレス等の設定変更を適切に制御して伝送装置２を含むシステムの遠隔管理を実現できる。実施の形態によれば、管理端末３から遠隔で伝送装置２のＩＰアドレス等の設定を変更しようとする際に、通信不可能や通信障害を生じさせずに、適切に設定変更が可能である。
【００９４】
実施の形態によれば、特に、ＩＰ方式の管理状態からイーサネットＯＡＭ方式の管理状態に切り替えて、伝送装置２の管理用のＩＰアドレス等の設定を基本的に不要にし、管理を容易にすることができる。実施の形態によれば、伝送装置２の管理を、ＩＰアドレス等の単位で行う必要が無くなり、スイッチ装置１との関連付けによって、スイッチ装置１の管理にまとめることができる。管理者は、管理端末３から、スイッチ装置１と伝送装置２との組で遠隔管理ができる。また、伝送装置２に管理用のＩＰアドレス等の設定が不要なので、ＩＰアドレス資源の有効利用ができる。
【００９５】
また、実施の形態によれば、必要に応じて、ＩＰ方式の管理状態と、ＩＰを用いないイーサネットＯＡＭ方式の管理状態とを切り替えることができる。実施の形態によれば、Ｇ９８６導入以前のＩＰを用いた管理状態を基本的に維持したまま、管理端末３を用いた遠隔操作によって、Ｇ９８６導入後の管理状態へ置き換えることができる。そして、実施の形態によれば、必要に応じて、Ｇ９８６導入後の管理状態から、ＩＰを用いた管理状態へ戻すことができる。
【００９６】
［変形例］
実施の形態の通信システム及び管理方法の変形例として、以下が挙げられる。
【００９７】
（１）  図１の管理部１００及び管理部２００は、制御部１１及び制御部２１とは別に、専用の管理モジュールで実現されてもよい。
【００９８】
（２）  Ｇ９８６に基づいた方式に限らず、スイッチ装置１と伝送装置２との間でＩＰアドレス等を用いずに制御通信を可能とする他の方式を適用可能である。
【００９９】
（３）  図１で、Ｇ９８６に基づいた制御通信のために、ポート５２及びポート６２を、データ通信と制御通信との共用に設定した形態としたが、これに限らず、専用のポートを用いてＧ９８６に基づいた制御通信を行う形態としてもよい。例えば、図１及び図３で、スイッチ装置１と伝送装置２との間における、イーサネットに対応した通常のデータ通信用のポート５２及びポート６２とは別に、新たに専用のポートを設け、Ｇ９８６に基づいた制御通信用のポートとして用いてもよい。言い換えると、データ通信用のポートと制御通信用のポートとを分離した形態でもよい。管理状態の切り替えの際、スイッチ装置１は、専用のポートを用いて制御フレームを送信し、伝送装置２は、専用のポートでその制御フレームを受信する。
【０１００】
（４）  管理状態の切り替え、及び伝送装置２の設定変更の際に、伝送装置２の管理用のＩＰアドレス等の設定情報を削除する形態に限らず可能である。変形例として、切り替えの際に、当該設定情報を削除せずに基本的に残したままとし、フラグ情報を用いて当該設定情報の有効または無効の状態を制御する形態でもよい。この変形例では、ＩＰを用いた管理状態からＧ９８６を用いた管理状態へ切り替える場合、管理端末３から、スイッチ装置１経由で、伝送装置２に、その指示を格納した制御フレームを送る。伝送装置２は、その指示を受け取ると、ＩＰアドレス等の設定情報に関連付けられたフラグを１から０にして「無効」の状態にする。また、Ｇ９８６を用いた管理状態からＩＰを用いた管理状態へ切り替える場合、管理端末３から、スイッチ装置１経由で、伝送装置２に、その指示を格納した制御フレームを送る。伝送装置２は、その指示を受け取ると、ＩＰアドレス等の設定情報に関連付けられたフラグを０から１にして「有効」の状態にする。これにより、実施の形態と同様の効果を実現できる。
【０１０１】
（５）  図１のスイッチ装置１と伝送装置２は、１台と１台が一対一で接続されているが、これに限らず、複数のスイッチ装置１と１台の伝送装置２とが接続された形態も可能である。この形態の場合、管理端末３から、いずれか１台のスイッチ装置１を経由して、１台の伝送装置２の設定変更等を制御することができる。管理端末３から指示を受けたスイッチ装置１の管理部１００は、制御フレームを伝送装置２へ送信する。
【０１０２】
また、１台のスイッチ装置１に複数の伝送装置２が接続された形態も可能である。この形態の場合、管理端末３から、１台のスイッチ装置１を経由して、複数の伝送装置２の設定変更等を制御することができる。この場合、管理端末３から指示を受けたスイッチ装置１は、複数の各々の伝送装置２へ制御フレームを送信する。
【０１０３】
（６）  図７のS505以降のＧ９８６無効化に係わるシーケンスは、変形例として、以下も可能である。この変形例では、Ｇ９８６無効化を、スイッチ装置１経由でまとめて実行する。この変形例は、以下に示すステップを有する。管理端末３は、管理用のＩＰアドレスを正しく再設定した後、更に、スイッチ装置１及び伝送装置２の両方でのＧ９８６に基づいた制御通信による管理状態を無効化するための指示を、スイッチ装置１へ送信する。スイッチ装置１の管理部１００は、その指示に従い、自身のＧ９８６に基づいた制御通信の無効化の前に、まず、伝送装置２でのＧ９８６に基づいた制御通信を無効化するための指示を格納した制御フレームを作成し、その制御フレームを、通信部１３のポート５２から伝送装置２へ送信する。伝送装置２の通信部２３は、その制御フレームをポート６２で受信し、管理部２００へ転送する。
【０１０４】
管理部２００は、その制御フレームに格納されている指示に従い、伝送装置２でのＧ９８６に基づいた制御通信を無効化するように、通信部２３のポート６２の状態を制御する。この無効化に従い、通信部２３は、ポート６２を有効から無効の状態に切り替える。これにより、ポート６２を用いたＯＡＭに係わる制御通信ができない状態になる。スイッチ装置１の管理部１００は、伝送装置２でのＧ９８６に基づいた制御通信を無効化した後、自身のＧ９８６に基づいた制御通信を無効化するように通信部１３を制御する。通信部１３は、その無効化に従い、Ｇ９８６に対応するポート５２を有効から無効の状態へ切り替える。これにより、ポート５２を用いたＯＡＭに係わる制御通信ができない状態になる。
【０１０５】
管理部１００は、スイッチ装置１及び伝送装置２の両方でＧ９８６に基づいた制御通信が無効化されたことを示す応答情報を作成し、その応答情報を格納したパケットを、ポート５３から管理端末３へ送信する。管理端末３は、そのパケットを受信し、そのパケットに格納されている応答情報から、スイッチ装置１及び伝送装置２の両方でＧ９８６に基づいた制御通信が無効化されたことを認識する。これにより、管理端末３は、ＩＰ方式の管理状態に切り替えられたことを認識する。
【０１０６】
以上、本発明を実施の形態に基づき具体的に説明したが、本発明は前記実施の形態に限定されず、その要旨を逸脱しない範囲で種々変更可能である。
【符号の説明】
【０１０７】
１…スイッチ装置、２…伝送装置、３…管理端末、４…ＩＰ網、１１…制御部、１２…記憶部、１３…通信部、２１…制御部、２２…記憶部、２３…通信部、５１〜５３…ポート、６１〜６３…ポート、１００…管理部、１０１…通信用バックボーンネットワーク、１０２…利用者網、２００…管理部。
【図１】
2017069638.tif 000003
【図２】
2017069638.tif 000004
【図３】
2017069638.tif 000005
【図４】
2017069638.tif 000006
【図５】
2017069638.tif 000007
【図６】
2017069638.tif 000008
【図７】
2017069638.tif 000009